(57)【特許請求の範囲】
【請求項１】
軸筒に複数のリフィールが出没可能に配置され、そのリフィールの後方にスライダーが配置された筆記具であって、そのスライダーを押圧前進させることによって前記リフィールの先端を軸筒の突出孔から突出させる筆記具において、前記軸筒の内径部には先端側に向かって徐々に径が小さくなる円錐部を形成すると共に、その円錐部の先端部に前記突出孔を形成し、その突出孔の中心とリフィールが収納されている状態において、そのリフィールの先端を結んだ仮想延長線上を、前記スライダーが前進・移動するが如くし、また、前記軸筒の内面にスライダーが移動する摺動溝を形成すると共に、その摺動溝の摺動面を前記仮想延長線と平行に形成した筆記具。
【発明の詳細な説明】
【技術分野】
【０００１】
本発明は、軸筒に複数のリフィールが出没可能に配置され、そのリフィールの後方にスライダーが配置された筆記具であって、そのスライダーを押圧前進させることによって前記リフィールの先端を軸筒の突出孔から突出させる筆記具に関するものであり、前記リフィールの一例としては、ボールペンやシャープペンシルユニット、スタイラスペンなどが挙げられる。
【背景技術】
【０００２】
１例として、軸筒と、前記軸筒内に収納され、外周がテーパー状に形成されたテーパー面を有するチップをその先端部に有するボールペン用リフィールを少なくとも１本含み、前記軸筒の軸心回りに所定の間隔で配置された複数の筆記用芯と、前記軸筒の先端側に装着され、前記内周面側において前記筆記用芯の移動を案内する先筒と、前記軸筒の後端側に設けられるノック体を有するノック機構とを備え、前記ノック体を操作することにより前記筆記用芯を選択的に先筒から突出させ、かつ、他の筆記用芯を突出させるのに連動して先に突出している芯を収容させることができる多芯式筆記具において、前記内周面は、前記複数の筆記用芯が形成する最大径円の径より大きい径を備えた大径部と、前記大径部より小さい径を備えた、後端部から先端側に向かって前記チップのテーパー角度と同じもしくはそれより小さいテーパー角度で縮径するテーパー部と、前記大径部の前端部と前記テーパー部の後端部の間で広がる肩部とを備え、前記テーパー部と前記肩部との境界線が前記先筒の半径方向において前記チップの前記テーパー面上に位置する多芯式筆記具が知られている。
【特許文献１】特開２００８−１６２２４６号公報。
【発明の開示】
【発明が解決しようとする課題】
【０００３】
上記従来技術は、選択したリフィールが突出した際、他のリフィールのインキ収納筒部が移動できるように肩部が形成されており、且つ、チップの先端が肩部に当たらないように、そのチップの先端部が先筒内面のテーパー部よりも中心方向に位置している。
しかしながら、実際には、リフィールの後端側が径方向に移動できないように規制されているため、リフィールは、先筒の内面をたわみながら摺動し、突出することになる。そして、その突出した状態においては、たわんだ状態が維持されることになる。即ち、前記の突出過程において、リフィールのチップの先端近傍には、常時、摺動抵抗が付与されていることになり、この摺動抵抗が押圧・突出操作する指への抵抗荷重となり、その操作荷重が重たく感じられるなど違和感のある突出操作になってしまっていた。
【課題を解決するための手段】
【０００４】
そこで、本発明は、軸筒に複数のリフィールが出没可能に配置され、そのリフィールの後方にスライダーが配置された筆記具であって、そのスライダーを押圧前進させることによって前記リフィールの先端を軸筒の突出孔から突出させる筆記具において、前記軸筒の内径部には先端側に向かって徐々に径が小さくなる円錐部を形成すると共に、その円錐部の先端部に前記突出孔を形成し、その突出孔の中心とリフィールが収納されている状態において、そのリフィールの先端を結んだ仮想延長線上を、前記スライダーが前進・移動するが如くし、また、前記軸筒の内面にスライダーが移動する摺動溝を形成すると共に、その摺動溝の摺動面を前記仮想延長線と平行に形成したことを要旨とする。
【発明の効果】
【０００５】
本発明は、軸筒に複数のリフィールが出没可能に配置され、そのリフィールの後方にスライダーが配置された筆記具であって、そのスライダーを押圧前進させることによって前記リフィールの先端を軸筒の突出孔から突出させる筆記具において、前記軸筒の内径部には先端側に向かって徐々に径が小さくなる円錐部を形成すると共に、その円錐部の先端部に前記突出孔を形成し、その突出孔の中心とリフィールが収納されている状態において、そのリフィールの先端を結んだ仮想延長線上を、前記スライダーが前進・移動するが如くし、また、前記軸筒の内面にスライダーが移動する摺動溝を形成すると共に、その摺動溝の摺動面を前記仮想延長線と平行に形成したので、良好なリフィールの出没動作が得られる。
【発明を実施するための最良の形態】
【０００６】
作用について説明する。スライダーを押圧し、リフィールの先端を軸筒の先端開口部から突出させようとすると、そのリフィールの先端は、軸筒の内面に接触することなく、突出孔に向かって前進・移動する。
１例を図１〜図１４に示し説明する。黒色と赤色、青色、緑色の４色からなるボールペン（リフィール）１６が摺動自在に配置されている多芯筆記具である。ボールペン１６ばかりではなく、シャープペンシルユニットを適宜組み合わせても良い。前記ボールペン１６は、インキ収容筒１６ａとそのインキ収容筒１６ａの先端に圧入・固定されたボールペンチップ１６ｂ、並びに、前記インキ収容筒１６ａに収容されたインキ１６ｃから構成されている。
参照符号１は、円筒状の軸本体であり、その軸本体１は、前軸２と後軸３とより構成されている。また、本例において、前軸２は、先部材４と中軸５の螺合構造により構成されているが、一体的に形成されていても良い。しかし、ボールペンの交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、ボールペンのボールペンチップ１６ｂが出没する突出孔４ｂが形成されている。
さらに、前記先部材４は不透明な材質から構成されているが、中軸５と後軸３は、着色半透明な材質から構成されている。ボールペンをスライダーに対して着脱する際、即ち、ボールペンを交換する際、その着脱部の視認性が良好なものとなり、容易に着脱作業を行うことができるようになる。また、中軸５や後軸３は、円筒状であるが故に、その曲面のレンズ作用により、前記の着脱部が拡大・大径化され、さらに容易に着脱作業を行うことができるようになる。
【０００７】
前記後軸３には、その長手方向に４個のスリット６が形成されている。本例においては、４個のスリット６が形成されているが、リフィールであるボールペンの数が４本であるためであり、このボールペンの本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
また、この摺動溝７の摺動面７ａは、長手方向に延びた摺動面となっているが、その摺動面７ａは、前記先部材４の突出孔４ｂの中心と、ボールペン（リフィール）１６が収納されている状態であって、そのボールペン１６のボールペンチップ１６ａの先端とを結んだ仮想延長線Ｘ上を、後述するスライダーが前進移動するよう、その仮想延長線と平行な摺動面になっている。即ち、摺動溝７の摺動面７ａは、上部から下部にかけて軸筒１の中心軸線Ｙに対して接近するように、傾斜した状態で形成されている。そして、その傾斜角度は、前記仮想延長線Ｘと平行、即ち、同角度になっている。
前記後軸３の前方には断面の形状が外側に円弧部を有する半月形をした脚部８が形成されている。この脚部８は、スリット６が形成されることにより形成される。よって、筆記体の数によって脚部８の数は変わる。その脚部８の外接円径は、後軸３の最大外径よりも小さく形成されている。
符号９は、前記先部材４に二色成形、或いは、多色成形と言った手段などで一体的に先部材４の凹部１０に被覆されたゴム状弾性体からなるグリップ部であるが、各々を別部材で構成し、グリップ部材を先部材４に挿着しても良い。
【０００８】
前記後軸３のスリット６には、不透明な材質からなるスライダー１１が摺動自在に配置されている。このスライダー１１の長手方向の両側には、摺動突起１２が形成されており、前記スリット６に形成された摺動溝７に摺動可能に係合している。さらに具体的には、前記摺動突起１２の摺動内面１２ａが、摺動溝７の摺動面７ａを摺動し得るようになっており、この摺動突起１２の摺動内面１２ａの摺動動作によって、スライダー１１が先部材４の突出孔４ｂの中心に向かって前進・移動すると共に、そのスライダー１１の前進の軌跡に沿って、ボールペン１６のボールペンチップ１６ａも突出孔４ｂの中心に向かって前進・移動し、やがてボールペンチップ１６ａは突出孔４ｂから突出する。即ち、ボールペンチップ１６ａは、先部材４の内面に接触することなく突出孔４ｂから突出するのである。
このスライダー１１の背面には、間隔をおいて２つの解除突起１３、１４が形成されており、また、スライダー１１の前端には長手方向に板状の突部１１ａが形成されている。その突部１１ａの先端には、ほぼ円盤状の膨出部１１ｂが形成されている。それら突部１１ａや膨出部１１ｂを板状、並びに、円盤状にすることによって、後述するボールペンを接続した際、空気の流通炉が形成されるようになっている。つまり、本例のようにリフィールをボールペンとした場合、インキの消費に伴うボールペン内部への空気の侵入を確実なものとしているのである。
そして、スライダー１１の突部１１ａ（膨出部１１ｂ）には、ボールペン１６のインキ収容筒１６ａの後方部が接続されている。ここで、前記スライダー１１は、前記ボールペン１６に使用されるインキ色と同じ色に着色された不透明な材質で形成されているが、透明、或いは、着色された半透明な材質で形成しても良い。スライダー１１の奥行き感が発生し、より一層、美観が向上する。
本例において、ボールペン１６のインキ収容筒１６ａは、透明、或いは、着色された半透明な材質から構成されているが、インキ収容筒１６ａの少なくとも前記スライダー１１との接続部が、透明、或いは、着色された半透明な材質から構成されていれば良い。ボールペン１６を交換した際、そのボールペン１６とスライダー１１（膨出部１１ｂ）との接続状態を容易に確認することができる。
【０００９】
尚、前記スライダー１１の前端部には、後述する弾撥部材１７の後端部が当接する鍔部１５が形成されている。
参照符号１７は、ボールペン１６並びに、そのボールペン１６に接続するスライダー１１を後方に付勢するコイルスプリングなどの弾撥部材である。尚、本例におけるリフィールは、前述のようにボールペン１６となっており、そのボールペン１６のインキ収容筒１６ａがスライダー１１の膨出部１１ｂに接続されている。具体的には、黒、赤、青、緑のインキが収納されたボールペン１６が接続されている。
【００１０】
前記前軸２の１部材である中軸５の中間部には、規制部１８が形成されており、その規制部１８には、ボールペン１６が遊挿する４つの貫通孔１９が形成されており、前記規制部１８に弾撥部材１７の一端を係止させることにより、ボールペン１６を後方に付勢している。また、前記貫通孔１９の内面は、突出孔４ｂの中心に向けて傾斜した状態で形成されている。ボールペン１６の筆記部１６ｂを突出孔４ｂに向けて前進・移動させるための一つの手段である。本例において、貫通孔１９の横断面形状は、円形状をなしているが、図１５に示すように、軸筒１の外径方向に広がるように楕円形状としても良い。１本ボールペン１６が突出する際、その突出するボールペン１６によって他のボールペンが外径方向に押し寄せられる（図１６参照）。その押し寄せられる空間（逃げ部）を楕円形状とすることによって形成しているのである。
さらに、中軸５の内側で、規制部１８の後方には、長手方向に４つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する半月形となっている。
【００１１】
尚、本例において、先部材４の突出孔４ｂの内面には、ストレートの筒状部４ｃを施してあるが、図１７に示すように、中心方向に向けて傾斜させた円錐状部４ｄとなしても良い。具体的に説明すると、ボールペンチップ１６ｂが突出した際における、そのボールペンチップ１６ｂの中心軸線と平行な傾斜面を有する円錐状部４ｄとなっている。ボールペンチップ１６ｂと突出孔４ｂの円錐状部４ｄとが線接触状態となり、接触領域が増加し、より安定した筆記感を得ることができる。
また、本例においては、中軸５と後軸３を別部材で構成し、互いを連結・固定したが、中軸と後軸とを一体で構成すると共に、貫通孔１９を有する規制部１８を別部材で構成し、その別部材として形成した規制部を嵌め込んでも良い。中軸と後軸とを一体で構成することによって、各々を成形する金型の作成費用や組み立て工数が減少し、安価に制作することができるが、後軸に対するスライダーの挿着作業性は、各々を別部材で構成した方が容易となる。また、中軸と後軸を一体で構成することで、中軸と後軸を別体で構成した場合の脚部８の必要がなくなり、より細身の設計が可能となる。さらに、規制部を別部材で構成し、嵌め込むことによって、外観に出ない部品であるため、摺動性を重視した材料、例えばポリオキシメチレンで構成することができ、リフィールとの摺動抵抗を少なくすることができる。
【図面の簡単な説明】
【００１２】
【図１】本発明の１例を示す外観正面図。
【図２】図１の上面図。
【図３】図１の縦断面図。
【図４】軸筒のみを示す縦断面図。
【図５】図４のＥ部拡大図。
【図６】図４のＦ部拡大図。
【図７】図３のＧ部拡大図。
【図８】図１のＡ−Ａ線断面図。
【図９】図１のＢ−Ｂ線断面図。
【図１０】図１のＣ−Ｃ線断面図。
【図１１】図１のＤ−Ｄ線断面図。
【図１２】動作を示す縦断面図。
【図１３】動作を示す縦断面図。
【図１４】図１３の拡大図。
【図１５】他の規制部を示す横断面図。
【図１６】図１５の動作を示す横断面図。
【図１７】更に他の例を示す要部縦断面図。
【符号の説明】
【００１３】
１      軸本体
２      前軸
３      後軸
４      先部材
５      中軸
６      スリット
７      摺動溝
８      脚部
９      グリップ部
１０    凹部
１１    スライダー
１２    摺動突起
１３    解除突起
１４    解除突起
１５    鍔部
１６    筆記体
１７    弾撥部材
１８    規制部
１９    貫通孔
２０    溝部
【図１】
0005594097.tif 000002
【図２】
0005594097.tif 000003
【図３】
0005594097.tif 000004
【図４】
0005594097.tif 000005
【図５】
0005594097.tif 000006
【図６】
0005594097.tif 000007
【図７】
0005594097.tif 000008
【図８】
0005594097.tif 000009
【図９】
0005594097.tif 000010
【図１０】
0005594097.tif 000011
【図１１】
0005594097.tif 000012
【図１２】
0005594097.tif 000013
【図１３】
0005594097.tif 000014
【図１４】
0005594097.tif 000015
【図１５】
0005594097.tif 000016
【図１６】
0005594097.tif 000017
【図１７】
0005594097.tif 000018